(57)【要約】【課題】  タッチ入力式キーボード装置の薄型化及び製造工数の削減、並びに個々のキースイッチにおける対向電極同士の安定で信頼できる導通接触を安価に実現可能とする。【解決手段】  タッチ入力式キーボード装置は、絶縁基板１２、２０と、絶縁基板１２、２０の一表面に互いに絶縁して設けられる複数の導電膜区画１４、２２と、絶縁基板１２、２０の同表面に設けられて複数の導電膜区画１４、２２に個別に接続される複数の導線１６、２４とをそれぞれに有する第１及び第２の検出部材１８、２６を備える。それら検出部材１８、２６はそれぞれ、複数の導電膜区画１４、２２に個別に設けられ、個々の導電膜区画１４、２２に割り当てられたキースイッチ固有の外観を観察可能に表示する複数の描線部３６、３８を有する。各描線部３６、３８は、個々の導電膜区画１４、２２の表面上に延長される導線１６、２４の所定パターンの延長部によって形成される。【選択図】      図１
2005148834.tif 000002
【特許請求の範囲】
【請求項１】
絶縁基板と、該絶縁基板の一表面に互いに絶縁して設けられる複数の電極と、該絶縁基板の該表面に設けられて該複数の電極に個別に接続される複数の導線とをそれぞれに有する一対の検出部材を備え、それら検出部材が、それぞれの該複数の電極同士を、互いに協働して複数のキースイッチを形成する対応関係で導通接触可能に離間対向配置した状態で、相互に組み合わされてなるタッチ入力式キーボード装置において、
前記一対の検出部材の各々に設けられる前記複数の電極は、前記絶縁基板の前記表面に成膜され、絶縁画線を介して互いに分離される複数の導電膜区画からなり、
前記一対の検出部材の少なくとも一方は、前記複数の導電膜区画に個別に設けられ、個々の該導電膜区画に割り当てられたキースイッチ固有の外観を観察可能に表示する複数の描線部を有すること、
を特徴とするタッチ入力式キーボード装置。
【請求項２】
前記一対の検出部材の少なくとも一方における前記複数の導線の各々が、接続される前記導電膜区画の表面上に延長される延長部を有し、前記複数の描線部の各々が該延長部によって形成される、請求項１に記載のタッチ入力式キーボード装置。
【請求項３】
前記複数の描線部の各々が、前記複数の導電膜区画の各々に局部的に設けられる絶縁部からなる、請求項１に記載のタッチ入力式キーボード装置。
【請求項４】
前記一対の検出部材の双方が、それぞれの前記複数の導電膜区画に個別に設けられる前記複数の描線部を有し、互いに協働して前記キースイッチを構成する各一対の該導電膜区画において、それぞれの該描線部が前記外観の互いに異なる特徴部分を分担して表示する、請求項１〜３のいずれか１項に記載のタッチ入力式キーボード装置。
【請求項５】
前記一対の検出部材の各々が、前記絶縁基板の前記表面に前記複数の導電膜区画から独立して設けられる第２導電膜を有し、それぞれの該第２導電膜が、互いに導通接触可能に対向かつ離間配置されて、座標データを入力可能なタッチパネル領域を形成する、請求項１〜４のいずれか１項に記載のタッチ入力式キーボード装置。
【発明の詳細な説明】
【技術分野】
【０００１】
本発明は、一対の板状検出部材を互いに対向配置して備えるタッチ入力装置に関し、特に、各検出部材の入力操作領域内に、個々に独立したキースイッチを形成するための複数の電極が設けられるタッチ入力式キーボード装置に関する。
【背景技術】
【０００２】
タッチ入力装置は、パーソナルコンピュータ、携帯情報端末（ＰＤＡ）、現金自動預払機（ＡＴＭ）等の、ディスプレイを備えたデータ処理装置において、パネル表面の所望位置をオペレータがペンや指で押圧することにより、ディスプレイにおける二次元座標データを入力指示するものであり、タッチパネルの呼称で知られている。特に、ＬＣＤ（液晶ディスプレイ）、ＰＤＰ（プラズマパネル）、ＣＲＴ（ブラウン管）等のディスプレイの画面に重ねて設置可能な、それ自体透明な構造を有するタッチパネルが、広く利用されている。
【０００３】
透明構造のタッチパネルは、透明な絶縁基板と絶縁基板表面に設けられる透明な導電膜とを各々に有する一対の板状の検出部材を備えて構成される。それら検出部材は、隙間を介して導電膜同士を対向させた状態で、両絶縁基板の外周縁に沿って帯状に延設される接着剤層を介して、互いに重ね合わせて固定される。通常、オペレータが押圧操作する上側の検出部材の絶縁基板は、可撓性が要求されるので薄層のガラス板や樹脂フィルムから形成される。他方、下側の検出部材の絶縁基板は、基材として剛性が要求される用途では比較的厚みの大きなガラス板や樹脂パネルから形成され、また剛性が要求されない用途では樹脂フィルム等から形成される。
【０００４】
この種のタッチパネルでは、入力装置として一般的なキーボードに装備される所定配列の複数のキースイッチに対応して、タッチパネルの入力操作領域内に複数の検出区画を予め特定し、それら特定検出区画に個別対応する二次元座標範囲を個々のキースイッチの固有値として処理することにより、タッチ入力式のキーボード装置を構成できることが知られている。このような構成においては、従来、タッチパネルの背面側に併設されるディスプレイの画面に所定配列のキースイッチ群の外観を表示したり、そのようなキースイッチ群の外観を描画した別体のシートをタッチパネルの背面側に置いたりすることにより、個々の特定検出区画に割り当てたキースイッチの輪郭形状や機能（文字、数字、符号等）を観察可能に表示するようにしている。
【０００５】
また、例えば特許文献１に記載されるように、各検出部材の絶縁基板表面に、座標検出用の導電膜を設ける代わりに、個々に独立したキースイッチ（すなわち検出区画）を形成するための複数の電極を設けた構成を有するタッチ入力式キーボード装置も知られている。この種のキーボード装置では、各検出部材の絶縁基板表面にさらに、複数の電極に個別に接続される複数の導線がパターン形成される。個々のキースイッチの機能表示は、一般にタッチ側検出部材の絶縁基板の外面に印刷等により描画されるが、特に特許文献１には、各検出部材の絶縁基板表面に設けられる複数の電極の各々が、当該検出区画に割り当てたキースイッチの機能を表示するシンボルマークの形状の不透明素材からなる構成が記載されている。
【０００６】
【特許文献１】特開平５−１３４７９１号公報
【発明の開示】
【発明が解決しようとする課題】
【０００７】
タッチパネルの入力座標検出動作をキースイッチの接点開閉検知に利用した従来のタッチ入力式キーボード装置では、個々の特定検出区画に割り当てたキースイッチの輪郭形状や機能（文字、数字、符号等）をオペレータに視覚認識させるために、タッチパネルの背面側に併設されるディスプレイの画面に所定配列のキースイッチ群の外観を表示したり、そのようなキースイッチ群の外観を描画した別体のシートをタッチパネルの背面側に置いたりする必要があった。このような構成では、キーボード装置の薄型化が困難になる懸念があった。
【０００８】
また、各検出部材の絶縁基板表面にキースイッチ用の複数の電極を設けた従来のタッチ入力式キーボード装置では、個々のキースイッチの機能表示をタッチ側検出部材の絶縁基板外面に描画する工程が、絶縁基板表面への電極及び導線の形成工程とは別に必要となるので、製造工程が煩雑になる傾向があった。これに対し、前述した特許文献１に記載されるような、複数の電極の各々を対応キースイッチのシンボルマーク形状の不透明素材から形成する構成では、上記した機能表示の描画工程が不要になる利点がある。その反面、電極形状が線画状になるから、個々のキースイッチにおける電極同士を正確に位置合わせして導通接触させるためには、電極の形成精度を向上させる必要があり、結果として製造コストが上昇する危惧があった。
【０００９】
本発明の目的は、対向配置した一対の検出部材の各々の入力操作領域内に、個々に独立したキースイッチを形成するための複数の電極が設けられるタッチ入力式キーボード装置において、キーボード装置の薄型化が容易で製造工数を削減でき、個々のキースイッチにおける対向電極同士の安定で信頼できる導通接触を安価に実現可能なタッチ入力式キーボード装置を提供することにある。
【課題を解決するための手段】
【００１０】
上記目的を達成するために、請求項１に記載の発明は、絶縁基板と、絶縁基板の一表面に互いに絶縁して設けられる複数の電極と、絶縁基板の該表面に設けられて複数の電極に個別に接続される複数の導線とをそれぞれに有する一対の検出部材を備え、それら検出部材が、それぞれの複数の電極同士を、互いに協働して複数のキースイッチを形成する対応関係で導通接触可能に離間対向配置した状態で、相互に組み合わされてなるタッチ入力式キーボード装置において、一対の検出部材の各々に設けられる複数の電極は、絶縁基板の前記表面に成膜され、絶縁画線を介して互いに分離される複数の導電膜区画からなり、一対の検出部材の少なくとも一方は、複数の導電膜区画に個別に設けられ、個々の導電膜区画に割り当てられたキースイッチ固有の外観を観察可能に表示する複数の描線部を有すること、を特徴とするタッチ入力式キーボード装置を提供する。
【００１１】
請求項２に記載の発明は、請求項１に記載のタッチ入力式キーボード装置において、一対の検出部材の少なくとも一方における複数の導線の各々が、接続される導電膜区画の表面上に延長される延長部を有し、複数の描線部の各々が延長部によって形成されるタッチ入力式キーボード装置を提供する。
【００１２】
請求項３に記載の発明は、請求項１に記載のタッチ入力式キーボード装置において、複数の描線部の各々が、複数の導電膜区画の各々に局部的に設けられる絶縁部からなるタッチ入力式キーボード装置を提供する。
【００１３】
請求項４に記載の発明は、請求項１〜３のいずれか１項に記載のタッチ入力式キーボード装置において、一対の検出部材の双方が、それぞれの複数の導電膜区画に個別に設けられる複数の描線部を有し、互いに協働してキースイッチを構成する各一対の導電膜区画において、それぞれの描線部が外観の互いに異なる特徴部分を分担して表示するタッチ入力式キーボード装置を提供する。
【００１４】
請求項５に記載の発明は、請求項１〜４のいずれか１項に記載のタッチ入力式キーボード装置において、一対の検出部材の各々が、絶縁基板の前記表面に複数の導電膜区画から独立して設けられる第２導電膜を有し、それぞれの第２導電膜が、互いに導通接触可能に対向かつ離間配置されて、座標データを入力可能なタッチパネル領域を形成するタッチ入力式キーボード装置を提供する。
【発明の効果】
【００１５】
請求項１に記載の発明によれば、対向する導電膜区画によって形成される個々のキースイッチの輪郭形状や機能（文字、数字、符号等）を、それら導電膜区画に設けた描線部によって観察可能に表示するようにしたから、キースイッチ群の外観を画面表示するディスプレイや同外観を描画した別体のシートをタッチパネルの背面側に設置する従来の構成に比べて、キーボード装置の薄型化を一層促進することができる。また、個々のキースイッチの開閉接点は、キースイッチの外観を表示する描線部ではなく、あくまで導電膜区画によって形成されるから、各キースイッチの電極自体を当該キースイッチのシンボルマーク形状に形成する従来の構成とは異なり、各キースイッチにおける導電膜区画をスイッチ外観とは無関係の単純形状に形成でき、しかも、それら導電膜区画の形成精度に依存することなく（したがって製造コストの上昇を抑制しつつ）、両導電膜区画を極めて容易に正確に位置合わせして導通接触させることができる。その結果、個々のキースイッチにおける導電膜区画同士の安定で信頼できる導通接触を極めて安価に実現することができる。
【００１６】
請求項２に記載の発明によれば、個々のキースイッチの外観を表示する描線部が、各導電膜区画に接続される必須の導線の延長部として形成されるから、複数の導線の形成工程において同時に描線部を形成でき、その分、タッチ入力式キーボード装置の製造工程を簡略化することができる。
【００１７】
請求項３に記載の発明によれば、複数の描線部を安価に形成できる。
【００１８】
請求項４に記載の発明によれば、キースイッチが複雑な外観を有する場合にも、その特徴部分を一対の描線部で分担することにより、描線部の形成が容易になる。
【００１９】
請求項５に記載の発明によれば、１つのタッチ入力式キーボード装置で、キースイッチによるキー入力とタッチパネルによる座標入力との双方を実施できる。
【発明を実施するための最良の形態】
【００２０】
以下、添付図面を参照して、本発明の実施の形態を詳細に説明する。全図面に渡り、対応する構成要素には共通の参照符号を付す。
図面を参照すると、図１は、本発明の一実施形態によるタッチ入力式キーボード装置１０の主要構成要素を示す平面図、図２は、タッチ入力式キーボード装置１０を組立状態で示す平面図、図３は、図２の線ＩＩＩ−ＩＩＩに沿った断面図である。
【００２１】
タッチ入力式キーボード装置１０は、絶縁基板１２、絶縁基板１２の一表面１２ａに互いに絶縁して設けられる複数の電極１４、及び絶縁基板１２の表面１２ａに設けられて複数の電極１４に個別に接続される複数の導線１６を有する第１の検出部材１８と、絶縁基板２０、絶縁基板２０の一表面２０ａに互いに絶縁して設けられる複数の電極２２、及び絶縁基板２０の表面２０ａに設けられて複数の電極２２に個別に接続される複数の導線２４を有する第２の検出部材２６とを備える。第１及び第２の検出部材１８、２６の各々に設けられる複数の電極１４、２２は、絶縁基板１２、２０の表面１２ａ、２０ａに成膜される複数の導電膜区画１４、２２からなり、それら検出部材１８、２６の互いに対応する位置にある導電膜区画１４、２２同士が協働して、個々に独立したキースイッチ（すなわち検出区画）を構成する。
【００２２】
各検出部材１８、２６において、絶縁基板１２、２０上で隣り合う導電膜区画１４、２２は、格子状に延びる絶縁画線２８、３０を介して互いに分離され、それにより各導電膜区画１４、２２に平面視略矩形の輪郭（同一又は異なる形状）が付与されている。このような導電膜区画１４、２２は、例えば、真空蒸着やスパッタリング等の成膜技術により絶縁基板表面１２ａ、２０ａにその実質的全体を覆うように大判の導電膜を形成し、この導電膜に対し、エッチング等の化学的又は機械的除去技術により導電膜の材料を局所的に除去して絶縁画線２８、３０を形成することにより、所望の輪郭及び面積に比較的容易に成形できる。
【００２３】
第１の検出部材１８の絶縁基板１２と第２の検出部材２６の絶縁基板２０とは、平面視で互いに略同一の矩形輪郭を有し、それぞれの表面１２ａ、２０ａに、互いに同一の配列で複数の導電膜区画１４、２２が設けられる。第１及び第２の検出部材１８、２６は、それぞれの絶縁基板１２、２０及び対応位置にある導電膜区画１４、２２の輪郭が互いに実質的に整合する相対位置で、かつ、それぞれの複数の導電膜区画１４、２２同士を、互いに協働して複数のキースイッチを形成する対応関係で導通接触可能に離間対向配置した状態で、互いに重ね合わせて固定的に組み合わされる。
【００２４】
両検出部材１８、２６は、それぞれの絶縁基板１２、２０の外周縁に沿って帯状に延設される電気絶縁性の接着剤層（図示せず）によって相互に固定される。それに加えて、又はその代わりに、両検出部材１８、２６の間には、絶縁画線２８、３０に沿ってスペーサ（接着剤）３２が設置される。これら接着剤層又はスペーサ３２の厚みにより、個々のキースイッチにおいて対向する導電膜区画１４、２２の間に、予め定めた寸法の隙間３４が確保される。この相対配置で、個々のキースイッチにおける両導電膜区画１４、２２は、少なくとも一方の絶縁基板１２、２０が相互接近方向へ変形したときに、互いに導通接触できるようになっている。
【００２５】
第１の検出部材１８は、オペレータによって押圧操作される上側の検出部材であり、その絶縁基板１２は、可撓性に富む透明な樹脂フィルムから形成される。これに対し、第２の検出部材２６は、タッチ入力式キーボード装置１０の基材となる下側の検出部材であり、その絶縁基板２０は、透明、半透明又は不透明のガラス板、樹脂パネル又は樹脂フィルムから形成される。各絶縁基板１２、２０の好適な樹脂材料としては、ポリカーボネート、アクリル、ポリエチレンテレフタレート等を挙げることができる。また、第１の検出部材１８における個々の導電膜区画１４は、ＩＴＯ（酸化インジウム錫）等の透明な導電性皮膜から形成でき、第２の検出部材２６における個々の導電膜区画２２は、種々の導電性皮膜から形成できる。
【００２６】
本発明に係るタッチ入力式キーボード装置１０の特徴的構成として、第１及び第２の検出部材１８、２６はそれぞれ、複数の導電膜区画１４、２２に個別に設けられ、個々の導電膜区画１４、２２に割り当てられたキースイッチ固有の外観を観察可能に表示する複数の描線部３６、３８をさらに有する。図示実施形態では、両検出部材１８、２６における複数の導線１６、２４の各々が、接続される導電膜区画１４、２２の表面１４ａ、２２ａ上に延長される所定パターンの延長部を有し、この延長部により、複数の描線部３６、３８の各々が形成されている。
【００２７】
図４に拡大して示すように、個々のキースイッチ（検出区画）を構成する対向する導電膜区画１４、２２において、それぞれの描線部３６、３８は、キースイッチ固有の外観のうち、互いに異なる特徴部分を分担して表示している。つまり、第１の検出部材１８における各導電膜区画１４内の描線部３６は、キースイッチの頂面の輪郭を表わす環状部分３６ａと、キースイッチの一側面の陰影を表わす台形部分３６ｂとを有する。また、第２の検出部材２６における各導電膜区画２２内の描線部３８は、キースイッチの底面の輪郭を表わす環状部分３８ａと、キースイッチの他側面の陰影を表わす台形部分３８ｂとを有する。
【００２８】
描線部３６、３８はさらに、キースイッチ固有の外観の一つである機能（文字、数字、符号等）を表示することもできる。この場合、図５に示すように、一方の導電膜区画１４に設けられる描線部３６に、文字や数字等の機能を表わす線画部分３６ｃを一体的に形成することができる。或いは、他方の導電膜区画２２に設けられる描線部３８にも、機能表示の一部（例えば文字だけ）を分担して表示させることもできる。さらに、このような機能表示用の線画部分３６ｃを、輪郭表示用の環状部分３６ａや台形部分３６ｂから切り離して設けることもできる。
【００２９】
そもそも描線部３６（３８）は、導電膜区画１４（２２）と導線１６（２４）との接続部分であって、当該導電膜区画１４（２２）を外部の制御回路に電気的に接続できさえすれば、描線部３６（３８）の全体が連続体である必要は無い。また、各キースイッチにおける対向する導電膜区画１４、２２のいずれか一方にのみ、キースイッチ固有の外観を表示する描線部３６、３８を設けることもできる。この場合、描線部３６、３８を有さない導電膜区画１４（２２）には、導線１６（２４）を安定して接続できるだけの単純な線状の延長部を設ければよい。いずれの場合も、導線１６、２４及び描線部３６、３８は、スクリーン印刷等の印刷法によって形成できる。
【００３０】
なお、各検出部材１８（２６）において、絶縁基板１２（２０）上にパターン形成される複数の導線１６（２４）は、互いに絶縁されている必要がある。特に、図１で横方向へ整列する導電膜区画１４（２２）のそれぞれの導線１６（２４）は、例えば図示しない絶縁層を介して、検出部材１８（２６）の厚み方向へ重畳するように、互いに積層させて形成することができる。そして、各検出部材１８（２６）の複数の導線１６（２４）は、絶縁基板１２（２０）上の１箇所に集められて、図示しないコネクタにより外部の制御回路に接続される。
【００３１】
図示実施形態においては、上記した描線部３６、３８をそれぞれに備えた複数の導電膜区画１４、２２を有する第１及び第２の検出部材１８、２６を、前述した対応配置で互いに組み合わせると、図２及び図６に示すように、個々のキースイッチにおける描線部３６、３８が相補的に関連し合って、キースイッチ固有の外観を観察可能に表示する。この外観表示は、タッチ入力式キーボード装置１０をオペレータが操作する際に、第１の検出部材１８側からその絶縁基板１２と導電膜区画１４とを透視することにより観察できるものであって、平面に描画された図柄で個々のキースイッチを立体的に表示しようとするものである。なお、図面上は各描線部３６、３８を網状ハッチングで示しているが、これは理解を助けるためであり、実際には個々の描線部３６、３８を全体に一様な塗膜として形成できる。
【００３２】
上記構成を有するタッチ入力式キーボード装置１０によれば、対向する導電膜区画１４、２２によって形成される個々のキースイッチの輪郭形状や機能（文字、数字、符号等）を、それら導電膜区画１４、２２に設けた描線部３６、３８によって観察可能に表示するようにしたから、キースイッチ群の外観を画面表示するディスプレイや同外観を描画した別体のシートをタッチパネルの背面側に設置する従来の構成に比べて、キーボード装置１０の薄型化を一層促進することができる。描線部３６、３８は、第１及び第２の検出部材１８、２６の相互対向面に有る導電膜区画１４、２２に形成されるから、タッチ入力操作を繰り返しても、描線部３６、３８が損耗する惧れは無い。
【００３３】
また、個々のキースイッチの開閉接点は、キースイッチの外観を表示する描線部３６、３８ではなく、あくまで導電膜区画１４、２２によって形成されるから、各キースイッチの電極自体を当該キースイッチのシンボルマーク形状に形成する従来の構成とは異なり、各キースイッチにおける導電膜区画１４、２２（対向電極）をスイッチ外観とは無関係の単純形状（例えば矩形）に形成でき、しかも、それら導電膜区画１４、２２の形成精度に依存することなく（したがって製造コストの上昇を抑制しつつ）、両導電膜区画１４、２２を極めて容易に正確に位置合わせして導通接触させることができる。その結果、タッチ入力式キーボード装置１０では、個々のキースイッチにおける導電膜区画１４、２２同士の安定で信頼できる導通接触を極めて安価に実現することができる。
【００３４】
さらに、タッチ入力式キーボード装置１０では、個々のキースイッチの外観を表示する描線部３６、３８が、各導電膜区画１４、２２に接続される必須の導線１６、２４の延長部として形成されているから、複数の導線１６、２４の形成工程において同時に描線部３６、３８を形成でき、その分、タッチ入力式キーボード装置１０の製造工程を簡略化することができる。なお、描線部３６、３８の一部分が導線１６、２４から分離された構成を有する場合にも、描線部３６、３８を導線１６、２４と同一の材料（例えば銀）から形成することにより、導線形成工程で同時に描線部３６、３８を形成できる。また、対向する導電膜区画１４、２２のそれぞれの描線部３６、３８がキースイッチ外観の互いに異なる特徴部分を分担して表示する構成とすれば、キースイッチが複雑な外観を有する場合にも、描線部３６、３８の形成が容易になる。
【００３５】
本発明に係るタッチ入力式キーボード装置においては、図７に示すように、各キースイッチを構成する導電膜区画１４、２２に設けられる描線部を、少なくとも一方の導電膜区画１４、２２に局部的に設けられる絶縁部４０から構成することもできる。この場合、導線１６、２４は、単純な線状の延長部１６ａ、２４ａによって導電膜区画１４、２２に接続される。このような絶縁部からなる描線部４０は、例えば、導電膜区画２２の表面２２ａに絶縁材料の塗膜を印刷したり、導電膜区画２２の材料を化学的又は機械的除去技術により局所的に除去したりすることにより形成できる。ただし後者の場合、キースイッチの開閉接点を構成する導電膜区画２２の中央領域と、導線２４との間を、電気的に分断しない配慮が必要である。いずれの場合も、銀等の電気良導材料を使用する描線部３６、３８に比べて、安価に形成することができる。
【００３６】
なお、図示しないが、第２の検出部材２６の裏面の、導電膜区画２２に対応する位置に、絶縁材料の塗布や検出部材２６の材料の化学的又は機械的除去等によって、描線部を形成することもできる。この構成においても、タッチ入力操作の繰り返しにより描線部が損耗する惧れは排除される。
【００３７】
また、本発明は、図８に示すように、第１及び第２の検出部材１８、２６の双方が、絶縁基板１２、２０の表面１２ａ、２０ａ（図３）に、複数の導電膜区画１４、２２から独立して設けられる第２導電膜４２、４４を有し、それぞれの第２導電膜４２、４４が、座標データを入力可能なタッチパネル領域４６を形成するタッチ入力式キーボード装置４８を提供することもできる。タッチパネル領域４６は、一般的なタッチパネルの構成と同様の構成を有する。すなわち、第１及び第２の検出部材１８、２６の第２導電膜４２、４４は、互いに実質的同一の平面視矩形輪郭を有して、導通接触可能に対向かつ離間配置される。第２の検出部材２６の第２導電膜４４上には、多数のドットスペーサ（図示せず）が所定パターンで形成される。また、両第２導電膜４２、４４上には、それら第２導電膜４２、４４の互いに９０度異なる対向辺に沿って配置される電極対５０、５２と、第２導電膜４２、４４から絶縁してそれぞれの電極対５０、５２に接続される配線ストリップ（図示せず）とが、例えばスクリーン印刷法によりパターン形成される。このような構成によれば、１つのタッチ入力式キーボード装置４８で、キースイッチによるキー入力とタッチパネルによる座標入力との双方を実施できる。
【００３８】
また、図９に示すように、異なるキー配列を有する複数のタッチ入力式キーボード装置１０を、互いに適当に組み合わせて、１つの大判のキーボード５４を構成することもできる。
【００３９】
さらに、図１０に示すように、タッチ入力式キーボード装置１０の第１及び第２の検出部材１８、２６の間に、予め湾曲板状に成形された絶縁材料から成る支持板５６を挿入し（図１０（ａ））、完成品としてのタッチ入力式キーボード装置１０に、所望の湾曲形状を付与することもできる（図１０（ｂ））。このような絶縁材料からなる支持板５６は、図３に示すスペーサ３２として形成することもできるし、図７に示す描線部４０として形成することもできる。
【産業上の利用可能性】
【００４０】
本発明に係るタッチ入力式キーボード装置は、例えばパーソナルコンピュータ、携帯情報端末（ＰＤＡ）、現金自動預払機（ＡＴＭ）等の、ディスプレイ及びキーボードを備えたデータ処理装置において使用でき、特に、キーボード自体の薄型化が要求される用途で有効に使用される。
【図面の簡単な説明】
【００４１】
【図１】本発明の一実施形態によるタッチ入力式キーボード装置の主要構成部品を示す平面図で、（ａ）第１の検出部材、及び（ｂ）第２の検出部材をそれぞれ示す。
【図２】図１のタッチ入力式キーボード装置を組立状態で示す平面図である。
【図３】図２の線ＩＩＩ−ＩＩＩに沿った断面図である。
【図４】図１のタッチ入力式キーボード装置における１つの検出区画を模式図的に示す斜視図である。
【図５】図５の検出区画の平面図で、（ａ）第１の検出部材側の構成部品、及び（ｂ）第２の検出部材側の構成部品をそれぞれ示す。
【図６】図５の検出区画を組み合わせ状態で示す平面図である。
【図７】変形例による検出区画を模式図的に示す斜視図である。
【図８】本発明の他の実施形態によるタッチ入力式キーボード装置の平面図である。
【図９】本発明に係るタッチ入力式キーボード装置を備えたキーボードの平面図である。
【図１０】本発明のさらに他の実施形態によるタッチ入力式キーボード装置の図で、（ａ）分解斜視図、及び（ｂ）組立斜視図である。
【符号の説明】
【００４２】
１０、４８…タッチ入力式キーボード装置
１２、２０…絶縁基板
１４、２２…導電膜区画
１６、２４…導線
１８…第１の検出部材
２６…第２の検出部材
２８、３０…絶縁画線
３６、３８…描線部
４０…絶縁部（描線部）
４２、４４…第２導電膜
４６…タッチパネル領域
【図１】
2005148834.tif 000003
【図２】
2005148834.tif 000004
【図３】
2005148834.tif 000005
【図４】
2005148834.tif 000006
【図５】
2005148834.tif 000007
【図６】
2005148834.tif 000008
【図７】
2005148834.tif 000009
【図８】
2005148834.tif 000010
【図９】
2005148834.tif 000011
【図１０】
2005148834.tif 000012